(57)【要約】  電子ディスプレイ（２５）を支持体（４０）に接続するためのインターフェースシステム（１０）において、突起（５０）と突起（５０）の下に配置されたコネクタ（７０）を収容するためのアパーチャ（６８）とを有するディスプレイ取付け用ブラケット（２０）と；突起（５０）を収容するための溝（６０）および溝（６０）の下に配置されたコネクタ（７０）を収容するための少なくとも１つのスロット（８０）を有する支持ブラケット（３０）とを含み、スロット（８０）の少なくとも一部分は、突起（５０）が溝（６０）と係合した時点でアパーチャ（６８）と整列させられる、インターフェースシステム（１０）。
2014522566.tif 000002
【特許請求の範囲】
【請求項１】
電子ディスプレイを支持体に接続するためのインターフェースシステムにおいて、
突起と突起の下に配置されたコネクタを収容するためのアパーチャとを有するディスプレイ取付け用ブラケットと；
突起を収容するための溝および溝の下に配置されたコネクタを収容するための少なくとも１つのスロットを有する支持ブラケットと、
を含み、
スロットの少なくとも一部分は、突起が溝と係合した時点でアパーチャと整列させられる、
ことを特徴とするインターフェースシステム。
【請求項２】
ディスプレイ取付け用ブラケットが２つのアパーチャを含む、ことを特徴とする請求項１に記載のインターフェースシステム。
【請求項３】
支持ブラケットが２つのスロットを含み、各スロットの少なくとも一部分は、突起が溝と係合した時点で２つのアパーチャのうちの少なくとも１つと整列させられる、ことを特徴とする請求項２のインターフェースシステム。
【請求項４】
支持ブラケットとの関係においてディスプレイ取付け用ブラケットの角度方向が調整されている時にスロットの中心と突起の間の半径を一定にすることができるようにスロットが湾曲している、ことを特徴とする請求項３に記載のインターフェースシステム。
【請求項５】
ディスプレイ取付け用ブラケットが、電子ディスプレイの後面と並置状態になるように適応された側を有する平面部材を含む、ことを特徴とする請求項１に記載のインターフェースシステム。
【請求項６】
ディスプレイ取付け用ブラケットが、電子ディスプレイの後面と並置状態になるように適応された側を有する第１の平面部材および第１の平面部材と並置状態にある第２の平面部材を含み、第２の平面部材が突起を含む、ことを特徴とする請求項５に記載のインターフェースシステム。
【請求項７】
突起が、平面部材によって画定された平面から、ディスプレイと並置状態になるように適合された側と反対の方向に外向きに突出している、ことを特徴とする請求項１に記載のインターフェースシステム。
【請求項８】
突起がボルトを含む、ことを特徴とする請求項１に記載のインターフェースシステム。
【請求項９】
突起が、溝との係合を容易にするための唇状部を含む、ことを特徴とする請求項１に記載のインターフェースシステム。
【請求項１０】
支持ブラケットがさらに傾動機構を含む、ことを特徴とする請求項１に記載のインターフェースシステム。
【請求項１１】
支持ブラケットがさらに回動機構を含む、ことを特徴とする請求項１に記載のインターフェースシステム。
【請求項１２】
突起が実質的にディスプレイ取付け用ブラケットの中心にある、ことを特徴とする請求項１に記載のインターフェースシステム。
【請求項１３】
コネクタがネジである、ことを特徴とする請求項１に記載のインターフェースシステム。
【請求項１４】
支持体がアームを含む、ことを特徴とする請求項１に記載のインターフェースシステム。
【請求項１５】
インターフェースシステムが、電子ディスプレイの後面を貫通して延在する概ね水平な軸との関係において約５度〜約１０度の回転を可能にする、ことを特徴とする請求項１に記載のインターフェースシステム。
【請求項１６】
支持体に対し電子ディスプレイを接続する方法において、
支持ブラケットにより提供される溝の中へディスプレイ取付け用ブラケットの突起を配置するステップと、
電子ディスプレイ取付け用ブラケットに接続された電子ディスプレイの水平度を調整するステップと、
支持ブラケット内のスロットおよびディスプレイ取付け用ブラケット内のアパーチャの中にコネクタを挿入して、支持ブラケットとの関係におけるディスプレイ取付け用ブラケットの角度方向を固定するステップと、
を含むことを特徴とする方法。
【請求項１７】
水平度調整ステップには、ディスプレイを水平方向に配置するステップが含まれる、ことを特徴とする請求項１６に記載の方法。
【請求項１８】
水平度調整ステップには、重力が水平度調整機能を提供するような形で、ディスプレイが自己整列できるようにするステップが含まれる、ことを特徴とする請求項１６に記載の方法。
【請求項１９】
水平度調整ステップが、電子ディスプレイの後面を貫通して延在する概ね水平な軸を中心として約５度〜約１０度ディスプレイ取付け用ブラケットを支持ブラケットとの関係において回転させるステップを含む、ことを特徴とする請求項１６に記載の方法。
【発明の詳細な説明】
【技術分野】
【０００１】
本出願は、参照により本明細書にその内容が援用されている、「ディスプレイ取付け用インターフェースシステムおよび方法」という名称の２０１１年５月１９日出願の米国仮特許出願第６１／４８７，９５２号の利益を主張するものである。
本発明は一般に、電子ディスプレイを支持体に取付けるためのシステムおよび方法に関する。
【背景技術】
【０００２】
電子ディスプレイは一般に、Ｖｉｄｅｏ  Ｅｌｅｃｔｒｏｎｉｃｓ  Ｓｔａｎｄａｒｄｓ  Ａｓｓｏｃｉａｔｉｏｎ（ＶＥＳＡ）に準拠した接続を介してアームまたはスタンドなどの支持体に接続される。標準的なＶＥＳＡ準拠接続は、典型的に、４つのアパーチャを伴うプレートを含む。アパーチャの中にネジが挿入され、ディスプレイ内のネジ付きアパーチャと係合して、ディスプレイにプレートを取付ける。プレートのもう一方の側は支持体に接続される。
【０００３】
残念なことに、これらのタイプの標準的接続は、ディスプレイに対する接続および支持体に対する接続からのいかなる角度的変動も可能にするものではない。したがって、支持体が所望の角度に対し傾斜している場合、このような接続を用いて支持体に取付けられたディスプレイも同様に傾斜する。例えばアームが水平に対して５度の角度を成している場合、このような方法を介してアームに取付けられたディスプレイは同様に水平に対して５度の角度を成すことになる。
【先行技術文献】
【特許文献】
【０００４】
【特許文献１】米国特許出願第１１／２５４，２２５号、
【特許文献２】米国特許出願第１２／４０７，５６６号、
【特許文献３】米国特許出願第１２／６１４，０３２号、
【特許文献４】米国特許出願第１２／７２９，８１１号、
【特許文献５】米国特許出願第１２／９４４，９６６号、
【特許文献６】米国特許出願第１２／９４５，０６８号
【特許文献７】米国特許出願第６１／３６９，３９２
【発明の概要】
【０００５】
本発明の実施形態には、アームまたはスタンドなどの支持体に対して電子ディスプレイを接続するためのインターフェースシステムが含まれる。一部の実施形態において、インターフェースシステムは、ユーザーが支持体の角度の如何に関わらず所望の人間工学的角度に電子ディスプレイの水平度を容易に調整できるように、適応されている。このような実施形態において、インターフェースシステムはディスプレイと支持体の間の角度的変動を可能にする。一部の実施形態において、インターフェースシステムは、電子ディスプレイの平面を通って延在する概ね水平な軸との関係において約５度から約１０度の回転を可能にする。一例として、アームが傾斜した角度で具備されている場合、インターフェースシステムを用いて、ディスプレイが水平で傾斜していない角度に保持された状態で、アームにディスプレイを容易に接続することができる。一部の実施形態では、インターフェースシステムは、重力が水平度調整機能を提供するような形で構成されている。さらに、インターフェースシステムの一部の実施形態は、「急速接続」型のものであり、これにより、ユーザーはディスプレイを支持体に急速に接続することができる。本発明の実施形態には同様に、このようなインターフェースシステムを使用する方法も含まれる。
【０００６】
以下の図面は、本発明の特定の実施形態を例示しており、したがって本発明を限定するものではない。図面は、（その記載のないかぎり）原寸に比例しておらず、以下の詳細な説明における記載と併せて使用されるように意図されている。本発明の実施形態は、以下で添付の図面と併せて記載されており、図面中類似の数字は類似の要素を表わしている。
【図面の簡単な説明】
【０００７】
【図１】本発明の一実施形態に係る係合していないディスプレイ取付け用ブラケットと支持ブラケットの斜視図を含む。
【図２】本発明の一実施形態に係る部分的に係合しているディスプレイ取付け用ブラケットと支持ブラケットの斜視図を含む。
【図３】本発明の一実施形態に係る完全に係合しているディスプレイ取付け用ブラケットと支持ブラケットの斜視図を含む。
【図４】本発明の一実施形態に係る完全に係合しているディスプレイ取付け用ブラケットと支持ブラケット、およびディスプレイの後面斜視図を含む。
【図５】本発明の一実施形態に係る完全に係合しているディスプレイ取付け用ブラケットと支持ブラケットの後面平面図を含む。
【図６】本発明の一実施形態に係るディスプレイ取付け用ブラケットの前面平面図を含む。
【図７】本発明の一実施形態に係るディスプレイ取付け用ブラケットと支持ブラケットの部分的に分解された斜視図を含む。
【図８】本発明の一実施形態に係るディスプレイ取付け用ブラケットと支持ブラケットの完全に分解された斜視図を含む。
【図９】本発明の一実施形態に係るディスプレイおよびディスプレイ取付け用ブラケットの後面平面概略図を含む。
【図１０】本発明の一実施形態に係る例示的方法のステップ図を含む。
【発明を実施するための形態】
【０００８】
以下の詳細な説明は、例示的なものであり、いかなる形であれ、本発明の範囲、適用性または構成を限定するよう意図されていない。むしろ、以下の説明は、本発明の例示的実施形態を実施するための一部の実用的例を提供している。選択された要素について、構造、材料、寸法および製造プロセスの例が提供されており、他の全ての要素には本発明の分野の当業者にとって公知のものが使用される。当業者であれば、指摘された例の多くがさまざまな好適な代替物を有するということを理解するものである。
【０００９】
一部の実施形態において、本発明は、スタンドまたはアームなどの支持体に電子ディスプレイを接続するためのインターフェースシステムを含む。電子ディスプレイは、ＬＥＤ、ＬＣＤまたはプラズマを含む任意のタイプのものであり得る。さらに、支持体は、例えば、各々の関連する内容が参照により本明細書中に援用されている特許文献１〜７に記載されている支持体のいずれかおよびアーム、スタンドを含めた任意のタイプのものであってよい。
【００１０】
図１〜８に示されているように、インターフェースシステム１０の実施形態は、ディスプレイ（例えば図３および４に示されているディスプレイ２５の後面）に接続するためのディスプレイ取付け用ブラケット２０と、アームまたはスタンドなどの（図２および３に示されている）支持体４０に接続するための支持ブラケット３０とを含む。一部の実施形態において、インターフェースシステムは、支持体の角度の如何に関わらずユーザーが所望の人間工学的角度に電子ディスプレイの水平度を容易に調整できるようにするために適応されている。このような実施形態では、インターフェースシステムは、ディスプレイと支持体の間の角度的変動を可能にして、回転移動が任意に固定される前にディスプレイを整列させることができるようにする。
【００１１】
一部の実施形態では、ディスプレイ取付け用ブラケット２０は突起５０を含む。突起５０は任意の好適な形状を含むことができる。一部の実施形態において、突起は、第１の直径を有する概ね円形の横断面を有するボルトなどの、電子ディスプレイの後部平面から概ね直交して延在する概ね円筒形の延長部分を含む。一部の実施形態において、突起は、第１の直径よりも大きい第２の直径を有する概ね円形の横断面を有する任意の唇状部を含む。
【００１２】
支持ブラケット３０は、突起５０を収容するための溝６０を含んでいてよい。このような実施形態では、溝は概ね半円形の切取部を含み、こうして突起は溝の中に進入し溝の中を静止位置まで誘導され得る。このような実施形態においては、ディスプレイ取付け用ブラケットを溝に懸吊することができ、これにより（例えば、突起の長手方向軸と一致する軸などのディスプレイ取付け用ブラケットにより画定される平面から直交して延在する軸を中心にして）ディスプレイ取付け用ブラケットと支持ブラケットとの間の回転移動が可能になる。したがって、ユーザーは、支持体の角度方向の如何に関わらず、支持体との関係における所望の角度方向にディスプレイを角度的に配置することができる。唇状部を有する突起の実施形態において、唇状部は、溝が唇状部とディスプレイ取付け用ブラケットとの間に挟持されるような形で支持ブラケットと係合することができる。
【００１３】
一部の実施形態において、ユーザーは、ディスプレイが自己整列できるようにすることができる。このような実施形態において、インターフェースは、重力が水平度調整機能を提供できるように構成される。例えば突起５０を、ディスプレイ取付け用ブラケットおよび／またはディスプレイとの関係において概ね中心の位置に具備して、突起５０を介して溝６０から懸吊されているディスプレイが、突起のいずれの側でもディスプレイに作用する重力を平衡化するために水平な配向をとる傾向を有するようにすることができる。このような実施形態は、図９に示されており、この図には、電子ディスプレイ２５の後面に取付けられたディスプレイブラケット２０および突起５０が表わされている。図９において、ディスプレイは中心線ＣＬを有し、この中心線を中心としてその重量は、中心線ＣＬの両側で実質的に等しい。図示されている通り、突起５０は、実質的に中心線ＣＬを横断する。
【００１４】
図１、６、７および８を見れば最もよくわかるように、インターフェースシステムの一部の実施形態においては、ディスプレイ取付け用ブラケット２０は同様に、コネクタ７０（例えばネジ）を収容するための少なくとも１つ（例えば２つ）のアパーチャ６８を含む（アパーチャは図１においてコネクタ７０を収容している状態で示されている）。同様に図示されているように、支持ブラケットは、コネクタ７０を収容するための少なくとも１つ（例えば２つ）のスロット８０を含む。一部の実施形態において、アパーチャ６８は、ディスプレイ取付け用ブラケット上で突起５０の下に配置することができ、スロット８０は支持ブラケット上で溝６０の下に配置することができる。このような実施形態において、スロット８０は、アパーチャ内部でスロットを通って収容されているコネクタが、支持ブラケットとの関係において移動できるようにする。所望の角度方向が達成された時点で、ディスプレイの後面を貫通して延在する概ね水平な軸を中心として支持ブラケットとの関係におけるディスプレイ取付け用ブラケットの相対的な角度方向を所望の方向で固定するように、コネクタを起動する（例えば締め付ける）ことができる。
【００１５】
一般に、スロット８０はアパーチャ６８よりも広く、コネクタ７０が部分的にアパーチャ６８と係合している場合でさえ、いずれかの方向に数度の相対的移動を可能にする。一部の実施形態において、インターフェースシステムは、電子ディスプレイの後面を貫通して延在する概ね水平な軸との関係において約５度〜約１０度の回転を可能にする（すなわちポートレート／ランドスケープ（「Ｐ／Ｌ」）回転調整）。一部の実施形態においては、スロットは、支持ブラケットとの関係におけるディスプレイ取付け用ブラケットの角度方向の如何に関わらず、スロットの中心と突起の間の半径を一定にできるように湾曲されている。
【００１６】
図１〜３および６に示されているように、一部の実施形態において、ディスプレイ取付け用ブラケット２０は、ディスプレイと並置状態になるように適応された側を有する平面部材１００を含む。このような実施形態において、突起５０は、平面部材が画定する平面から、ディスプレイと並置状態になるように適応された側と反対の方向に外向きに突出することができる。図７および８に示されている通り、一部の実施形態において、ディスプレイ取付け用ブラケットは、互いに並置状態にある２つの平面部材１００、１０２を含み、平面部材の少なくとも１つは、ディスプレイ取付け用部材をディスプレイに取付けるため追加の４つのアパーチャ１１０を含む。一部の実施形態において、平面部材の少なくとも１つは、ディスプレイ取付け用ブラケットをディスプレイに接続するためのＶｉｄｅｏ  Ｅｌｅｃｔｒｏｎｉｃｓ  Ｓｔａｎｄａｒｄｓ  Ａｓｓｏｃｉａｔｉｏｎ（ＶＥＳＡ）準拠接続を含む。したがって、このような実施形態においては、第１の平面部材（例えばＶＥＳＡ準拠プレート）が、ディスプレイの後面と並置状態となりこれと接続され、第２の平面部材が第１の平面部材と並置状態となりこれと接続され、第１および第２の平面部材はディスプレイブラケットを含み、支持ブラケットは、本明細書に記載の通りディスプレイブラケットの第２の平面部材と係合され、同様に支持体に接続されることになる。
【００１７】
突起を収容するための溝に加えて、支持ブラケット３０には同様に、ディスプレイのより大きな移動自由度を可能にするための他のフィーチャが具備されていてよい。例えば、図２〜３を見れば最も良くわかるように、支持ブラケットの一部の実施形態は、ディスプレイが支持体４０との関係において傾動できるようにする傾動機構１２０を含む。同様に図示されている通り、支持ブラケット３０はさらに、ディスプレイを支持体４０との関係において回動できるようにする回動機構１３０も含むことができる。一部の実施形態において、支持体またはインターフェースシステムのいずれもＰ／Ｌ調整を可能にせず、したがって、インターフェースシステムは、インターフェースシステムを介して取付けられたディスプレイスクリーン表面に対し概ね垂直である概ね水平な軸を中心とした角度的調整を可能にする唯一の機構である。このような実施形態においては、インターフェースシステムは、ディスプレイおよび支持体に対しそれが完全に接続された後は、さらなるＰ／Ｌ調整を妨げるように固定される。
【００１８】
本発明の実施形態は同様に、本明細書に記載のインターフェースシステム１０の任意の実施形態を用いて支持体に電子ディスプレイを接続する方法をも含んでいる。代表的な方法が、図１０に描かれている。代表的方法には、溝の中に突起を挿入することなどにより支持ブラケット２００によって提供される溝の中にディスプレイ取付け用ブラケットからの突起を配置するステップと、ディスプレイ取付け用ブラケットに接続されたディスプレイの水平度を調整すること（例えばディスプレイが自己整列できるようにすること）などによって、支持ブラケットとの関係におけるディスプレイ取付け用ブラケットの角度方向２１０を調整するステップと；支持ブラケット内のスロットおよびディスプレイ取付け用ブラケット内のアパーチャの中にコネクタを挿入して、ディスプレイ取付け用ブラケットとの関係におけるディスプレイ取付け用ブラケットの角度方向を固定するステップと；が含まれる。
【００１９】
インターフェースシステムの一部の実施形態は、「急速接続」型のものである。このような実施形態においては、（例えば上述の通りの第１の平面部材ＶＥＳＡ接続を介して）ディスプレイ取付け用ブラケットを予めディスプレイに取付けることができ、支持ブラケットを予め支持体に取付けることができる。その後ユーザーは単に溝に突起を挿入し、支持体との関係においてディスプレイの角度方向を能動的に調整するか、または支持体との関係においてディスプレイを重力自己整列させることができる。ユーザーはこのとき、スロットおよびアパーチャの中にコネクタを挿入して、支持体との関係におけるディスプレイの角度的Ｐ／Ｌ配向を固定することができる。
【００２０】
こうして、本発明の実施形態が開示された。本発明は、一部の開示された実施形態を基準にして著しく詳細に説明されてきたが、開示された実施形態は、例示を目的として提示されており、本発明の他の実施形態が可能である。当業者であれば、本発明の精神および添付のクレームの範囲から逸脱することなく、さまざまな変更、適応および修正を加えてよいということを認識するものである。
【図１】
2014522566.tif 000003
【図２】
2014522566.tif 000004
【図３】
2014522566.tif 000005
【図４】
2014522566.tif 000006
【図５】
2014522566.tif 000007
【図６】
2014522566.tif 000008
【図７】
2014522566.tif 000009
【図８】
2014522566.tif 000010
【図９】
2014522566.tif 000011
【図１０】
2014522566.tif 000012
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
電子ディスプレイを支持体に接続するためのインターフェースシステムにおいて、
突起と突起の下に配置されたコネクタを収容するためのアパーチャとを有するディスプレイ取付け用ブラケットと；
突起を収容するための溝および溝の下に配置されたコネクタを収容するための少なくとも１つのスロットを有する支持ブラケットと、
を含み、
スロットの少なくとも一部分は、突起が溝と係合した時点でアパーチャと整列させられる、
ことを特徴とするインターフェースシステム。
【請求項２】
ディスプレイ取付け用ブラケットが２つのアパーチャを含む、ことを特徴とする請求項１に記載のインターフェースシステム。
【請求項３】
支持ブラケットが２つのスロットを含み、各スロットの少なくとも一部分は、突起が溝と係合した時点で２つのアパーチャのうちの少なくとも１つと整列させられる、ことを特徴とする請求項２のインターフェースシステム。
【請求項４】
支持ブラケットとの関係においてディスプレイ取付け用ブラケットの角度方向が調整されている時にスロットの中心と突起の間の半径を一定にすることができるようにスロットが湾曲している、ことを特徴とする請求項３に記載のインターフェースシステム。
【請求項５】
ディスプレイ取付け用ブラケットが、電子ディスプレイの後面と並置状態になるように適応された側を有する平面部材を含む、ことを特徴とする請求項１に記載のインターフェースシステム。
【請求項６】
ディスプレイ取付け用ブラケットが、電子ディスプレイの後面と並置状態になるように適応された側を有する第１の平面部材および第１の平面部材と並置状態にある第２の平面部材を含み、第２の平面部材が突起を含む、ことを特徴とする請求項５に記載のインターフェースシステム。
【請求項７】
突起が、平面部材によって画定された平面から、ディスプレイと並置状態になるように適合された側と反対の方向に外向きに突出している、ことを特徴とする請求項１に記載のインターフェースシステム。
【請求項８】
突起が概ね円筒形の延長部分を含む、ことを特徴とする請求項１に記載のインターフェースシステム。
【請求項９】
突起が、溝との係合を容易にするための唇状部を含む、ことを特徴とする請求項１に記載のインターフェースシステム。
【請求項１０】
突起が実質的にディスプレイ取付け用ブラケットの中心にある、ことを特徴とする請求項１に記載のインターフェースシステム。
【請求項１１】
コネクタがネジである、ことを特徴とする請求項１に記載のインターフェースシステム。
【請求項１２】
支持体がアームを含む、ことを特徴とする請求項１に記載のインターフェースシステム。
【請求項１３】
インターフェースシステムが、電子ディスプレイの後面を貫通して延在する概ね水平な軸との関係において約５度〜約１０度の回転を可能にする、ことを特徴とする請求項１に記載のインターフェースシステム。
【請求項１４】
支持体に対し電子ディスプレイを接続する方法において、
支持ブラケットにより提供される溝の中へディスプレイ取付け用ブラケットの突起を配置するステップと、
電子ディスプレイ取付け用ブラケットに接続された電子ディスプレイの水平度を調整するステップと、
支持ブラケット内のスロットおよびディスプレイ取付け用ブラケット内のアパーチャの中にコネクタを挿入して、支持ブラケットとの関係におけるディスプレイ取付け用ブラケットの角度方向を固定するステップと、
を含む方法。
【請求項１５】
水平度調整ステップには、ディスプレイを水平配向で配置するステップが含まれる、ことを特徴とする請求項１４に記載の方法。
【請求項１６】
水平度調整ステップには、重力が水平度調整機能を提供するような形で、ディスプレイが自己整列できるようにするステップが含まれる、ことを特徴とする請求項１４に記載の方法。
【請求項１７】
水平度調整ステップが、電子ディスプレイの後面を貫通して延在する概ね水平な軸を中心として約５度〜約１０度ディスプレイ取付け用ブラケットを支持ブラケットとの関係において回転させるステップを含む、ことを特徴とする請求項１４に記載の方法。
【国際調査報告】
2014522566.tif 000013
2014522566.tif 000014